(57)【特許請求の範囲】
【請求項１】
レーザ加工機におけるキャリブレーション治具であって、レーザ加工機におけるレーザ加工ヘッドのノズル先端部に付着した付着物を貫通自在な微少な尖鋭突起を備えたキャリブレーションの補正位置と、前記ノズル先端部と接触自在な上面を有するデータ取得位置とを治具本体に備えていることを特徴とするキャリブレーション治具。
【請求項２】
請求項１に記載のキャリブレーション治具において、前記補正位置と前記データ取得位置は、前記治具本体の上面において近接して備えられていることを特徴とするキャリブレーション治具。
【請求項３】
請求項２に記載のキャリブレーション治具において、前記補正位置の上面と前記データ取得位置の上面は同一平面であることを特徴とするキャリブレーション治具。
【請求項４】
請求項１、２又は３に記載のキャリブレーション治具を用いたレーザ加工機におけるキャリブレーション方法であって、
（ａ）キャリブレーション治具の治具本体に備えた補正位置の上方位置にレーザ加工ヘッドを相対的に移動位置決めする行程、
（ｂ）レーザ加工ヘッドを下降して、前記補正位置に備えた尖鋭突起とレーザ加工ヘッドに備えたノズル先端部とが接触したときの、レーザ加工ヘッドの高さ位置を検出する行程、
（ｃ）前記治具本体に備えたデータ取得位置の上方位置にレーザ加工ヘッドを相対的に位置決めし、レーザ加工ヘッドを下降して前記データ取得位置の上面に前記ノズル先端部が接触したときの、レーザ加工ヘッドの高さ位置を検出する行程、
（ｄ）前記補正位置でのレーザ加工ヘッドの高さ位置検出値と、前記データ取得位置でのレーザ加工ヘッドの高さ位置検出値とに基づいて高低差を演算する行程、
（ｅ）前記高低差の演算結果に基づいて前記データ取得位置でのキャリブレーションの取得データの較正を行う行程、
の各工程を備えていることを特徴とするレーザ加工機におけるキャリブレーション方法。
【請求項５】
ワークテーブル上のワークに対してＸ、Ｙ、Ｚ軸方向へ相対的に移動位置決め自在なレーザ加工ヘッドを備え、このレーザ加工ヘッドに備えたノズルの先端部とワークとの間のギャップを検出するギャップセンサを前記ノズルに備えると共に、前記ノズル先端部とワークとの間のギャップを制御するためのギャップ制御装置を備えたレーザ加工機であって、
前記ギャップ制御装置は、前記ノズル先端部に付着した付着物を貫通自在な微少な尖鋭突起を備えたギャップの補正位置と前記ノズル先端部と接触自在な上面を有するデータ取得位置とを備えた治具本体における前記尖鋭突起に前記ノズル先端部が接触したときの、前記レーザ加工ヘッドの高さ位置検出値と、前記データ取得位置にノズル先端部が接触したときの、前記レーザ加工ヘッドの高さ位置検出値とに基づいて高低差を演算する演算手段と、
前記データ取得位置でのキャリブレーションの取得データを、前記高低差の演算データに基づいて較正を行う較正手段と、
を備えていることを特徴とするレーザ加工機。
【請求項６】
ワークテーブル上のワークに対してＸ、Ｙ、Ｚ軸方向へ相対的に移動位置決め自在なレーザ加工ヘッドを備え、このレーザ加工ヘッドに備えたノズルの先端部とワークとの間のギャップを検出するギャップセンサを前記ノズルに備えると共に、前記ノズルの先端部とワークとの間のギャップを制御するためのギャップ制御装置を備えたレーザ加工機であって、前記ノズルの先端部に付着した付着物を貫通自在な微少な尖鋭突起を備えたキャリブレーションの補正位置と、前記ノズルの先端部と接触自在な上面を備えたデータ取得位置とを備えた治具本体を、前記レーザ加工ヘッドに対してＸ、Ｙ軸方向へ相対的に移動自在な位置に備え、前記治具本体を、前記レーザ加工ヘッドの下方位置へ相対的に移動位置決め自在に備えていることを特徴とするレーザ加工機。
【発明の詳細な説明】
【技術分野】
【０００１】
本発明は、レーザ加工ヘッドに備えたギャップセンサによって検出したワークと加工ヘッドとの間の間隙（ギャップ）の検出値のキャリブレーションを正確に行うことができるキャリブレーション治具及びキャリブレーション方法並びにレーザ加工機に係り、さらに詳細には、前記レーザ加工ヘッドに備えたノズルの先端部に、例えばビニールなどの保護フィルムの小片が付着しているような場合であっても、ノズルに備えたギャップセンサのキャリブレーションを正確に行うことができるキャリブレーション治具及びキャリブレーション方法並びにレーザ加工機に関する。
【背景技術】
【０００２】
レーザ加工機によって、例えば板状のワークのレーザ切断加工を行う場合、上記ワークの表面にビニールなどの保護フィルムを貼った状態でレーザ切断加工を行うことがある。この場合、前記保護フィルムなどの絶縁物の破片（小片）がレーザ加工ヘッドに備えたノズルの先端部に付着することがある。この場合、前記小片はほとんど融着して付着した状態にあり、容易に取れないことがある。したがって、キャリブレーション動作の異常原因となることがある。
【０００３】
なお、レーザ加工機におけるギャップセンサのキャリブレーションを行う先行文献として特許文献１がある。
【先行技術文献】
【特許文献】
【０００４】
【特許文献１】特開平１１−１２３５７３号公報
【発明の概要】
【発明が解決しようとする課題】
【０００５】
前記特許文献１には、レーザ加工ヘッドに備えたノズルの先端部がスパッタ等によって汚れると、前記ノズルに備えたギャップセンサの静電容量が変化し、キャリブレーション調整値のノズルギャップと電圧の相関関係が変化して、ノズルギャップを正確に保つことが難しくなる旨の記載がある。すなわち、レーザ加工ヘッドにおけるノズル先端部の形状が変化したり、ノズル先端部に付着物があると、ノズルギャップを正確に制御してレーザ切断加工を行うことが難しくなるものであり、また接触検出の妨げにもなり、ギャップセンサーのキャリブレーション動作の不具合も発生することとなる。
【０００６】
ところで、レーザ加工機においては、図１に概念的に示すように、レーザ加工機（図１においては図示省略）にＸ、Ｙ、Ｚ軸方向へ移動位置決め自在に備えたレーザ加工ヘッド１を、サーボモータ３によって上下方向（Ｚ軸方向）に移動位置決めして、レーザ加工ヘッド１に備えたノズル５の先端部（下端部）とワークＷとの間の間隔（ギャップ）を所望の間隔に保持してレーザ切断加工を行うのが一般的である。
【０００７】
この場合、前記サーボモータ３によってレーザ加工ヘッド１の上下方向の位置決めを行い、ノズル５の先端部がワークＷの表面に接触した状態にあるとき、レーザ加工ヘッド１の高さをＺ＝０に設定してある。この際、レーザ加工ヘッド１の上下動位置を検出するロータリーエンコーダなどのごとき上下位置検出器７の検出値は、例えば零に設定してある。そして、前記ノズル５に備えたギャップセンサ（図示省略）の検出値は、ノズル５の先端部とワークＷとの間の間隔寸法（ギャップ）に対応して零に設定してある。すなわち、レーザ加工ヘッド１の上下位置を検出する上下位置検出器７の零点位置とギャップセンサの零点位置は相対的に一致した状態に設定してある。
【０００８】
したがって、前記サーボモータ３によってレーザ加工ヘッド１を、ワークＷの上面から例えば０．２ｍｍ上昇すると、前記上下検出器７の検出値は０．２ｍｍであり、ギャップセンサによるギャップの検出値は０．２ｍｍに対応した検出値になる。すなわち、レーザ加工機に備えた制御装置（図示省略）の制御の下に前記サーボモータ３を正逆回転してレーザ加工ヘッド１の上下動位置を制御すると、ワークＷとノズル５との間のギャップは、制御装置の指令値のとおりに正確に位置決めできるものである。すなわち、フィードバック制御が正確に行われ得るものである。
【０００９】
ところが、図２に示すように、ノズル５の先端部に、例えばビニールなどの保護フィルムの小片（破片）９が付着物として付着すると、ノズル５の先端部に融着し、除去しがたいものとなる。したがって、制御装置の制御の下にサーボモータ３を回転し、Ｚ＝０の高さ位置を設定するためにノズル５の先端部をワークＷの表面に接触させようとすると、図２（Ａ）に示すように、ノズル５の先端部でもってワークＷを押し下げる。そして、前記小片９が破損し、ノズル５とワークＷが接触すると、この接触を検出し停止することで、この間違った停止位置をＺ＝０の位置と認識することになる。
【００１０】
したがって、制御装置の指令値どおりにサーボモータ３を駆動してノズル５の上下動位置の位置決めを行った場合、図２（Ｂ）〜（Ｄ）に示すように、指令値（Ｚ＝０．２、Ｚ＝１．５、Ｚ＝２．８）に対して、ノズル５の先端部とワークＷの表面との間の実ギャップは指令値によるギャップより小さくなる。よって、ノズル５の先端部に小片９が付着した場合、小片９を除去する必要がある。しかし、小片９の除去が難しい場合には、ノズル５の先端部に小片が付着した状態においてキャリブレーションを行う必要がある。
【課題を解決するための手段】
【００１１】
本発明は、前述のごとき問題に鑑みてなされたもので、レーザ加工機におけるキャリブレーション治具であって、レーザ加工機におけるレーザ加工ヘッドのノズル先端部に付着した付着物を貫通自在な微少な尖鋭突起を備えたキャリブレーションの補正位置と、前記ノズル先端部と接触自在な上面を有するデータ取得位置とを治具本体に備えていることを特徴とするものである。
【００１２】
また、前記キャリブレーション治具において、前記補正位置と前記データ取得位置は、前記治具本体の上面において近接して備えられていることを特徴とするものである。
【００１３】
また、前記キャリブレーション治具において、前記補正位置の上面と前記データ取得位置の上面は同一平面であることを特徴とするものである。
【００１４】
また、前記キャリブレーション治具を用いたレーザ加工機におけるキャリブレーション方法であって、
（ａ）キャリブレーション治具の治具本体に備えた補正位置の上方位置にレーザ加工ヘッドを相対的に移動位置決めする行程、
（ｂ）レーザ加工ヘッドを下降して、前記補正位置に備えた尖鋭突起とレーザ加工ヘッドに備えたノズル先端部とが接触したときの、レーザ加工ヘッドの高さ位置を検出する行程、
（ｃ）前記治具本体に備えたデータ取得位置の上方位置にレーザ加工ヘッドを相対的に位置決めし、レーザ加工ヘッドを下降して前記データ取得位置の上面に前記ノズル先端部が接触したときの、レーザ加工ヘッドの高さ位置を検出する行程、
（ｄ）前記補正位置でのレーザ加工ヘッドの高さ位置検出値と、前記データ取得位置でのレーザ加工ヘッドの高さ位置検出値とに基づいて高低差を演算する行程、
（ｅ）高低差の演算結果に基づいて前記データ取得位置でのキャリブレーションの取得データの較正を行う行程、
の各工程を備えていることを特徴とするものである。
【００１５】
また、ワークテーブル上のワークに対してＸ、Ｙ、Ｚ軸方向へ相対的に移動位置決め自在なレーザ加工ヘッドを備え、このレーザ加工ヘッドに備えたノズルの先端部とワークとの間のギャップを検出するギャップセンサを前記ノズルに備えると共に、前記ノズル先端部とワークとの間のギャップを制御するためのギャップ制御装置を備えたレーザ加工機であって、
前記ギャップ制御装置は、前記ノズル先端部に付着した付着物を貫通自在な微少な尖鋭突起を備えたギャップの補正位置と前記ノズル先端部と接触自在な上面を有するデータ取得位置とを備えた治具本体における前記尖鋭突起に前記ノズル先端部が接触したときの、前記レーザ加工ヘッドの高さ位置検出値と、前記データ取得位置にノズル先端部が接触したときの、前記レーザ加工ヘッドの高さ位置検出値とに基づいて、高低差を演算する演算手段と、
前記データ取得位置でのキャリブレーションの取得データを、前記高低差の演算データに基づいて較正を行う較正手段と、
を備えていることを特徴とするものである。
【００１６】
また、ワークテーブル上のワークに対してＸ、Ｙ、Ｚ軸方向へ相対的に移動位置決め自在なレーザ加工ヘッドを備え、このレーザ加工ヘッドに備えたノズルの先端部とワークとの間のギャップを検出するギャップセンサを前記ノズルに備えると共に、前記ノズルの先端部とワークとの間のギャップを制御するためのギャップ制御装置を備えたレーザ加工機であって、前記ノズルの先端部に付着した付着物を貫通自在な微少な尖鋭突起を備えたキャリブレーションの補正位置と、前記ノズルの先端部と接触自在な上面を備えたデータ取得位置とを備えた治具本体を、前記レーザ加工ヘッドに対してＸ、Ｙ軸方向へ相対的に移動自在な位置に備え、前記治具本体を、前記レーザ加工ヘッドの下方位置へ相対的に移動位置決め自在に備えていることを特徴とするものである。
【発明の効果】
【００１７】
本発明によれば、レーザ加工ヘッドにおけるノズル先端部に付着物が付着しているような場合であっても、ギャップセンサのキャリブレーションを正確に行うことができるものである。
【図面の簡単な説明】
【００１８】
【図１】レーザ加工ヘッドのノズル先端部に付着物が付着することなく、キャリブレーションが正確に行われ得る場合の説明図である。
【図２】レーザ加工ヘッドのノズル先端部に付着物が付着すると、キャリブレーションが不正確になる場合の説明図である。
【図３】レーザ加工機の全体的構成を示す説明図である。
【図４】キャリブレーション治具の構成を示す説明図である。
【図５】機能ブロック図の説明図である。
【図６】キャリブレーション治具を使用してキャリブレーションを行う場合の作用説明図である。
【発明を実施するための形態】
【００１９】
以下、図面を用いて本発明の実施形態について説明するに、理解を容易にするために、本発明の実施形態に係るレーザ加工機の全体的構成について概念的、概略的に説明する。
【００２０】
図３に示すように、本発明の実施形態に係るレーザ加工機１１は、フレーム１３を備えており、このフレーム１３には、板状のワークＷにプレス加工を行うためのパンチＰ、ダイＤを備えた上下のタレット１５Ｕ，１５Ｌが上下に対向して水平に回転自在に備えられている。また、前記フレーム１３には、パンチ加工位置に割出し位置決めされたパンチＰを打圧するストライカ１７が上下動自在に備えられている共に、前記ワークＷを支持するワークテーブル１９が備えられている。
【００２１】
また、前記フレーム１３における上部フレーム１３Ｕには、前記ワークＷのレーザ加工を行うレーザ加工ヘッド２１を上下動自在に備えたスライダ２３がＹ軸方向（図３において左右方向）へ移動自在に備えられている。前記レーザ加工ヘッド２１は、前記レーザ加工ヘッド１に相当するもので、このレーザ加工ヘッド２１の下部には、前記ノズル５に相当するノズル２５が着脱交換自在に備えられている。このノズル２５には、このノズル２５の先端部（下端部）とワークＷの表面（上面）との間隙（ギャップ）を検出するためのギャップセンサ（図示省略）が備えられている。そして、前記レーザ加工ヘッド２１を上下方向に位置調節するために、前記スライダ２３には前記サーボモータ３に相当するサーボモータ２７が備えられており、このサーボモータ２７には、前記ノズル２５の上下位置を検出するための前記上下位置検出器７に相当する上下位置検出手段としてのロータリーエンコーダ２９が備えられている。
【００２２】
また、前記パンチ加工位置及び前記レーザ加工ヘッド２１によるレーザ加工位置に対してワークＷの移動位置決めを行うために、前記フレーム１３には、ワーク移動位置決め装置３１が備えられている。すなわち、前記フレーム１３には、Ｘ軸方向（図３において紙面に垂直な方向）に長いキャリッジベース３３がＹ軸方向（図３において左右方向）へ移動位置決め自在に備えられており、このキャリッジベース３３には、ワークＷをクランプ自在な複数のワーククランプ３５を備えたキャリッジ３７がＸ軸方向へ移動位置決め自在に備えられている。
【００２３】
したがって、前記ワーククランプ３５によってワークＷをクランプした状態でもってキャリッジベース３３をＹ軸方向に移動し、キャリッジ３７をＸ軸方向に移動することにより、前記パンチ加工位置及びレーザ加工ヘッド２１によるレーザ加工位置に対して、ワークＷをＸ、Ｙ軸方向へ移動位置決めすることができるものである。すなわち、本実施形態においては、レーザ加工とパンチ加工とを複合化したレーザ加工機でもって例示してある。なお、この種のレーザ加工機は既によく知られた構成であるから、上記レーザ加工機の構成についてのより詳細な説明は省略する。
【００２４】
さて、前述したように、レーザ加工ヘッド２１に備えたノズル２５の先端部（下端部）に、例えばビニール等の小片９が付着すると、ノズル２５の先端部とワークＷの表面との直接的な接触を妨げることになる。したがって、レーザ加工ヘッド２１又はノズル２５に備えたギャップセンサのキャリブレーションを行う際、図２（Ａ）に示すように、小片９が付着したノズル５に相当するノズル２５の先端でもってワークＷを押圧し、前記小片９が破損してワークＷに接触すると、ワークＷを押し下げて傾斜した状態になってはじめてノズルの先端とワークＷが接触することになり、この位置を上下方向の基準位置（Ｚ＝０の位置）と認識することになる。よって、ワークＷの表面（上面）とノズル２５の先端部との間のギャップを、制御装置３９の指令値どおりに制御することが難しくなるものである。
【００２５】
そこで、本実施形態においては、ノズル２５の先端部に小片９が付着している場合であっても、レーザ加工ヘッド２１に備えたギャップセンサのキャリブレーションを正確に行うことができるキャリブレーション治具４１（図４参照）を備えている。このキャリブレーション治具４１は、前記レーザ加工ヘッド２１の下方位置へ相対的に位置決めすることができれば、レーザ加工機１１の所望位置に備えることができるものである。
【００２６】
本実施形態においては、前記ワーク移動位置決め装置３１における前記キャリッジ３７の適宜一端側であって、前記ワーククランプ３５によってワークＷをクランプしたときに、ワークＷと干渉しない位置に備えられている。前記キャリブレーション治具４１は、板状の治具本体４３を備えており、この治具本体４１の上面には、キャリブレーションの補正位置４５と、キャリブレーションのデータを取得するためのデータ取得位置４７とを備えている。
【００２７】
前記補正位置４５の上面とデータ取得位置４７の上面は段違いであってもよいが、本実施形態においては同一平面であって、補正位置４５の上面には、図４（Ｂ）に示すように、前記小片９などの付着物を貫通自在な微少な尖鋭突起４９が備えられている。この尖鋭突起４９は、前記補正位置４５の上面に、例えば十字形状の罫書き線４５Ａを、レーザ光や適宜の罫書工具等により形成するときに、バリとして突出するものであり、約０．１ｍｍ程度である。なお、バリなどの微小の尖鋭突起４９を形成する加工としては、例えばパンチＰ、ダイＤによって治具本体４３の打抜き加工を行い、打抜き加工穴の周縁部にバリを形成する構成とすることも可能である。すなわち、前記尖鋭突起４９は、例えばビニールなどの付着物を貫通する機能を有すればよいものである。ところで、前記データ取得位置４７は前記補正位置４５に近接して同一面に備えられている。そして、前記データ取得位置４７の上面は、前記ノズル２５の先端部が接触自在な平面に形成してある。
【００２８】
以上のごとき構成において、レーザ加工ヘッド２１におけるノズル２５の先端部に、例えば小片９が付着した状態でもってギャップセンサのキャリブレーションを行うには、前記レーザ加工機１１の動作を制御する前記制御装置３９の制御の下に行うものである。前記制御装置３９はコンピュータから構成してあって、図５に示すように、ＣＰＵ５１、ＲＡＭ５３、ＲＯＭ５５を備えると共に、入力手段５７、出力手段５９を備えている。
【００２９】
さらに、前記制御装置３９には、キャリブレーション動作を行うためのキャリブレーションプログラムを格納したプログラムメモリ６１が備えられている。また、前記制御装置３９には、前記プログラムメモリ６１に格納されたキャリブレーションプログラムを解析するプログラム解析手段６３が備えられていると共に、このプログラム解析手段６３の解析結果に基づいて前記ワーク移動位置決め装置３１の移動動作を制御する第１の動作制御手段６５が備えられている。また前記プログラム解析手段６３の解析結果に基づいて前記レーザ加工ヘッド２１の移動動作を制御する第２の動作制御手段６７が備えられている。
【００３０】
また、前記制御装置３９には、前記レーザ加工ヘッド２１を下降したとき、前記尖鋭突起４９がノズル２５の先端に接触したことを検出するための接触検出手段６９が接続してある。なお、接触検出手段６９は、尖鋭突起４９とノズル２５の先端との接触を電気的に検出する構成やサーボモータ２７の負荷変動を検出する構成、ロータリーエンコーダ２９の停止を検出する構成など、所望の構成とすることができるものである。そして、前記接触検出手段６９が接触を検出したときに、前記ロータリーエンコーダ２９により検出したノズル２５の高さ位置Ｈ１（図６参照）、例えば治具本体４３の上面（基準位置Ｓ）からの上下動位置のデータを格納する第１メモリ７１が前記制御装置３９に備えられている。
【００３１】
また、前記制御装置３９には、前記データ取得位置４７の上面に、小片９が付着していない状態のノズル２５の先端部が接触したことを前記接触検出手段６９によって検出したときに、前記ロータリーエンコーダ２９によって検出したノズル２５の基準位置Ｓからの上下動位置のデータＨ２（符号省略：一般的にはＨ２＝０になる）を格納する第２メモリ７５が前記制御装置３９に備えられている。
【００３２】
さらに、前記制御装置３９には演算手段７７が備えられている。この演算手段７７は、前記第１、第２のメモリ７１，７５に格納されたデータＨ１，Ｈ２に基づいて、前記補正位置４５におけるノズル２５の高さ位置と、前記データ取得位置４７におけるノズル２５の高さ位置との高低差Ｄ、すなわち基準位置Ｓからの尖鋭突起４９の高さを演算し、この高低差Ｄのデータを第３メモリ８１に格納する。
【００３３】
さらに、前記ギャップ制御装置３９には、較正手段７９が備えられている。この較正手段７９は、前記データ取得位置４７において取得したキャリブレーションデータを、前記第３メモリ８１に格納された高低差Ｄに相当するギャップセンサの検出値に基づいて較正を行う機能を有するものである。
【００３４】
さて、以上のごとき構成において、キャリブレーションデータの較正を行うには、先ず、ノズル２５の先端部を補正位置４５の上方位置に位置決めし、ノズル２５を下降すると、ノズル２５に小片９が付着している場合には、図６（Ａ）に模式的に図示するように、尖鋭突起４９は小片９を貫通して、また、ノズル２５に小片９が付着していない場合には、そのまま尖鋭突起４９がノズル２５の先端部に接触する。この際、接触検出手段６９によって接触が検出されると、接触検知された高さ位置のデータＨ１は第１メモリ７１に格納される。
【００３５】
ところで、図６の図示においては、補正位置４５とデータ取得位置４７との上面は基準位置Ｓと同一平面に備えた場合について例示してある。小片９が付着していない状態で予め演算手段７７により演算された高低差Ｄが第３メモリ８１に格納されているので、尖鋭突起４９に当接した高さ位置から、この予め第３メモリ８１に格納された尖鋭突起４９の高さ寸法に相当する高低差Ｄだけ下降した位置が基準位置Ｓであると知ることができる。よって、尖鋭突起４９に当接した位置から高低差Ｄだけ下降した位置におけるキャップセンサの検出値を、ギャップ零に設定する。
【００３６】
すなわち、データ取得位置４７の上面にノズル２５が接触したときにおけるギャップセンサの検出値を、前記高低差Ｄに相当するギャップセンサの検出値でもって較正することにより、ノズル２５に小片９が付着しているような場合であっても、ギャップセンサの検出値を正確に較正できることになる。
【００３７】
既に理解されるように、本実施形態によれば、キャリブレーション動作の際に、ノズル２５の先端に小片９が付着していなくても、またノズル２５の先端部に小片９が付着していても尖鋭突起４９との接触をまったく同じ動作で検知できるものである。よって、データ取得位置４７でノズル２５の先端部を接触した状態におけるギャップセンサ（図示省略）の検出値を、較正手段７９によって較正することにより、ギャップセンサの較正を正しく行うことができ、ノズル２５の先端に小片９が付着していても、ノズル２５の先端部のキャリブレーションを正しく行うことができることとなる。したがって、基準位置Ｓとの間のギャップを正確に制御できることになるものである。
【００３８】
すなわち、データ取得位置４７において、プログラムメモリ６１に格納されたキャリブレーションプログラムに従って、各ギャップポジション毎にキャリブレーションデータを取得する。上記各キャリブレーションデータを、第２メモリ７５に一時的に格納する。そして、較正手段７９において前記高低差Ｄに相当するギャップセンサの検出値でもって較正を行い、この較正を行ったキャリブレーションデータによって第２メモリ７５のデータを更新することにより、正確なギャップの制御を行い得るものである。
【００３９】
以上のごとき説明より理解されるように、本実施形態によれば、レーザ加工ヘッド２１に備えたノズル２５の先端部に付着物が付着した場合であっても、上記ノズル２５に備えたギャップセンサのキャリブレーションを正確に行うことができ、ノズル２５の先端部とワークとの間のギャップを常に正確に制御可能になるものである。したがって、レーザ加工機によるレーザ切断加工を精度よく行い得るものである。
【００４０】
なお、前記説明においては、補正位置４５とデータ取得位置４７を同一平面に備えている場合について説明した。しかし、補正位置４５とデータ取得位置４７を予め既知の段違いに備えることも可能である。
【符号の説明】
【００４１】
１  レーザ加工ヘッド
５  ノズル
２１  レーザ加工ヘッド
２５  ノズル
２９  ロータリーエンコーダ（上下位置検出手段）
３９  制御装置
４１  キャリブレーション治具
４３  治具本体
４５  キャリブレーションの補正位置
４７  データ取得位置
４９  尖鋭突起
６９  接触検出手段
７１  第１メモリ
７５  第２メモリ
７７  演算手段
【図１】
0006397776.tif 000002
【図２】
0006397776.tif 000003
【図３】
0006397776.tif 000004
【図４】
0006397776.tif 000005
【図５】
0006397776.tif 000006
【図６】
0006397776.tif 000007